(57)【特許請求の範囲】
【請求項１】
長尺板と長尺板の幅方向の両側縁より一方向に垂直に延長する側板とを備えた天井側ランナーを梁の水平板に取付けるためのランナー取付具において、
上基板と、下基板と、上基板と下基板とを連結する連結板と、上基板より一方方向に延長するよう設けられた一対の梁挟み片と、下基板より一方方向とは反対方向に延長するように設けられた一対のランナー挟み片とを備え、
一対の梁挟み片と上基板とが梁の水平板の幅方向両端縁側を挟むとともに、一対のランナー挟み片が天井側ランナーの両方の側板の下端の位置で折曲されて側板の外表面と内表面とを挟み込むことにより、天井側ランナーを梁の水平板に取付けることを特徴とするランナー取付具。
【請求項２】
長尺板と長尺板の幅方向の両側縁より一方向に垂直に延長する側板とを備えた天井側ランナーを梁の水平板に取付けるためのランナー取付具において、
上基板と、下基板と、上基板と下基板とを連結する連結板と、上基板より一方方向に延長するよう設けられた一対の梁挟み片と、下基板より一方方向とは反対方向に延長するように設けられた一対のランナー挟み片とを備え、
上基板の上面が梁の水平板の下面と対向するように設置された状態において、一方の梁挟み片が、梁の水平板の幅方向の一端縁を経由して梁の水平板の上面に位置されたことによって梁の水平板の上面に位置された一方の梁挟み片と上基板とで水平板の一端縁側を挟むとともに、他方の梁挟み片が、梁の水平板の幅方向の他端縁を経由して梁の水平板の上面に位置されたことによって梁の水平板の上面に位置された他方の梁挟み片と上基板とで水平板の他端縁側を挟み、
天井側ランナーが互いに平行に対向する側板との間で形成された凹部開口を下に向けた状態で長尺板の上面を下基板の下面に向けて設置された状態において、一方のランナー挟み片が、天井側ランナーの一方の側板の外表面に沿って下方に延長して一方の側板の下端を経由して一方の側板の内表面に位置されることによって一方の側板を挟むとともに、他方のランナー挟み片が、天井側ランナーの他方の側板の外表面に沿って下方に延長して他方の側板の下端を経由して他方の側板の内表面に位置されることによって他方の側板を挟むことによって、天井側ランナーを梁の水平板に取付けることを特徴とするランナー取付具。
【請求項３】
長尺板と長尺板の幅方向の両側縁より一方向に垂直に延長する側板とを備えた天井側ランナーを梁の水平板に取付けるためのランナー取付具において、
下基板と、下基板の両側縁から一方方向に延長するように設けられた一対の連結片と、この一対の連結片の上端縁からそれぞれ互いに離反する方向に延長するように向けられて下基板と平行な一対の上基板と、各上基板より一方方向に延長するよう設けられた一対の梁挟み片と、下基板より一方方向とは反対方向に延長するよう設けられた一対のランナー挟み片とを備え、
一対の梁挟み片と上基板とが梁の水平板の幅方向両端縁側を挟むとともに、一対のランナー挟み片が天井側ランナーの両方の側板の下端の位置で折曲されて側板の外表面と内表面とを挟み込むことにより、天井側ランナーを梁の水平板に取付けることを特徴とするランナー取付具。
【請求項４】
長尺板と長尺板の幅方向の両側縁より一方向に垂直に延長する側板とを備えた天井側ランナーを梁の水平板に取付けるためのランナー取付具において、
下基板と、下基板の両側縁から一方方向に延長するように設けられた一対の連結片と、この一対の連結片の上端縁からそれぞれ互いに離反する方向に延長するように向けられて下基板と平行な一対の上基板と、各上基板より一方方向に延長するよう設けられた一対の梁挟み片と、下基板より一方方向とは反対方向に延長するよう設けられた一対のランナー挟み片とを備え、
上基板の上面が梁の水平板の下面と対向するように設置された状態において、各上基板の一方の梁挟み片が、梁の水平板の幅方向の一端縁を経由して梁の水平板の上面に位置されたことによって梁の水平板の上面に位置された一方の梁挟み片と上基板とで水平板の一端縁側を挟むとともに、各上基板の他方の梁挟み片が、梁の水平板の幅方向の他端縁を経由して梁の水平板の上面に位置されたことによって梁の水平板の上面に位置された他方の梁挟み片と上基板とで水平板の他端縁側を挟み、
天井側ランナーが互いに平行に対向する側板との間で形成された凹部開口を下に向けた状態で長尺板の上面を下基板の下面に向けて設置された状態において、一方のランナー挟み片が、天井側ランナーの一方の側板の外表面に沿って下方に延長して一方の側板の下端を経由して一方の側板の内表面に位置されることによって一方の側板を挟むとともに、他方のランナー挟み片が、天井側ランナーの他方の側板の外表面に沿って下方に延長して他方の側板の下端を経由して他方の側板の内表面に位置されることによって他方の側板を挟むことによって、天井側ランナーを梁の水平板に取付けることを特徴とするランナー取付具。
【請求項５】
梁挟み片は、梁挟み片を梁の水平板の上面側に折り曲げやすくするための折曲補助部を上基板との境界近傍部分に備え、ランナー挟み片は、ランナー挟み片の先端側を天井側ランナーの側板の内表面側に折り曲げやすくするための折曲補助部を下基板の下面から下方に天井側ランナーの側板の高さ寸法に相当する長さだけ離れた所定位置に備えたことを特徴とする請求項１乃至請求項４のいずれかに記載のランナー取付具。
【発明の詳細な説明】
【技術分野】
【０００１】
本発明は、壁下地となる間柱の上端部を保持する天井側ランナーを梁に取付けるためのランナー取付具であって、天井側ランナーを梁に容易に取付可能なランナー取付具に関する。
【背景技術】
【０００２】
壁下地となる間柱の上端部を保持する天井側ランナーを梁に取付けるためのランナー取付具が知られている（例えば、特許文献１等参照）。
【特許文献１】特開２００６−１２５０８７号公報
【発明の開示】
【発明が解決しようとする課題】
【０００３】
しかしながら、上述した従来のランナー取付具（ランナー取付片）は、鋲により梁に取付けられ、タッピングネジでランナーに取付けられる構成なので、鋲及び鋲を打つ鋲打ち機などの工具、タッピングネジをねじ込むスクリュードライバーなどの工具が必要になり、作業が煩わしいという問題点があった。
本発明は上記問題点に鑑みてなされたもので、ランナーを梁に容易に取付可能なランナー取付具を提供する。
【課題を解決するための手段】
【０００４】
本発明に係るランナー取付具は、長尺板と長尺板の幅方向の両側縁より一方向に垂直に延長する側板とを備えた天井側ランナーを梁の水平板に取付けるためのランナー取付具において、上基板と、下基板と、上基板と下基板とを連結する連結板と、上基板より一方方向に延長するよう設けられた一対の梁挟み片と、下基板より一方方向とは反対方向に延長するように設けられた一対のランナー挟み片とを備え、一対の梁挟み片と上基板とが梁の水平板の幅方向両端縁側を挟むとともに、一対のランナー挟み片が天井側ランナーの両方の側板の下端の位置で折曲されて側板の外表面と内表面とを挟み込むことにより、天井側ランナーを梁の水平板に取付けることを特徴とする。
本発明に係るランナー取付具は、長尺板と長尺板の幅方向の両側縁より一方向に垂直に延長する側板とを備えた天井側ランナーを梁の水平板に取付けるためのランナー取付具において、上基板と、下基板と、上基板と下基板とを連結する連結板と、上基板より一方方向に延長するよう設けられた一対の梁挟み片と、下基板より一方方向とは反対方向に延長するように設けられた一対のランナー挟み片とを備え、上基板の上面が梁の水平板の下面と対向するように設置された状態において、一方の梁挟み片が、梁の水平板の幅方向の一端縁を経由して梁の水平板の上面に位置されたことによって梁の水平板の上面に位置された一方の梁挟み片と上基板とで水平板の一端縁側を挟むとともに、他方の梁挟み片が、梁の水平板の幅方向の他端縁を経由して梁の水平板の上面に位置されたことによって梁の水平板の上面に位置された他方の梁挟み片と上基板とで水平板の他端縁側を挟み、天井側ランナーが互いに平行に対向する側板との間で形成された凹部開口を下に向けた状態で長尺板の上面を下基板の下面に向けて設置された状態において、一方のランナー挟み片が、天井側ランナーの一方の側板の外表面に沿って下方に延長して一方の側板の下端を経由して一方の側板の内表面に位置されることによって一方の側板を挟むとともに、他方のランナー挟み片が、天井側ランナーの他方の側板の外表面に沿って下方に延長して他方の側板の下端を経由して他方の側板の内表面に位置されることによって他方の側板を挟むことによって、天井側ランナーを梁の水平板に取付けることを特徴とする。
本発明に係るランナー取付具は、長尺板と長尺板の幅方向の両側縁より一方向に垂直に延長する側板とを備えた天井側ランナーを梁の水平板に取付けるためのランナー取付具において、下基板と、下基板の両側縁から一方方向に延長するように設けられた一対の連結片と、この一対の連結片の上端縁からそれぞれ互いに離反する方向に延長するように向けられて下基板と平行な一対の上基板と、各上基板より一方方向に延長するよう設けられた一対の梁挟み片と、下基板より一方方向とは反対方向に延長するよう設けられた一対のランナー挟み片とを備え、一対の梁挟み片と上基板とが梁の水平板の幅方向両端縁側を挟むとともに、一対のランナー挟み片が天井側ランナーの両方の側板の下端の位置で折曲されて側板の外表面と内表面とを挟み込むことにより、天井側ランナーを梁の水平板に取付けることを特徴とする。
長尺板と長尺板の幅方向の両側縁より一方向に垂直に延長する側板とを備えた天井側ランナーを梁の水平板に取付けるためのランナー取付具において、下基板と、下基板の両側縁から一方方向に延長するように設けられた一対の連結片と、この一対の連結片の上端縁からそれぞれ互いに離反する方向に延長するように向けられて下基板と平行な一対の上基板と、各上基板より一方方向に延長するよう設けられた一対の梁挟み片と、下基板より一方方向とは反対方向に延長するよう設けられた一対のランナー挟み片とを備え、上基板の上面が梁の水平板の下面と対向するように設置された状態において、各上基板の一方の梁挟み片が、梁の水平板の幅方向の一端縁を経由して梁の水平板の上面に位置されたことによって梁の水平板の上面に位置された一方の梁挟み片と上基板とで水平板の一端縁側を挟むとともに、各上基板の他方の梁挟み片が、梁の水平板の幅方向の他端縁を経由して梁の水平板の上面に位置されたことによって梁の水平板の上面に位置された他方の梁挟み片と上基板とで水平板の他端縁側を挟み、天井側ランナーが互いに平行に対向する側板との間で形成された凹部開口を下に向けた状態で長尺板の上面を下基板の下面に向けて設置された状態において、一方のランナー挟み片が、天井側ランナーの一方の側板の外表面に沿って下方に延長して一方の側板の下端を経由して一方の側板の内表面に位置されることによって一方の側板を挟むとともに、他方のランナー挟み片が、天井側ランナーの他方の側板の外表面に沿って下方に延長して他方の側板の下端を経由して他方の側板の内表面に位置されることによって他方の側板を挟むことによって、天井側ランナーを梁の水平板に取付けることを特徴とする。
梁挟み片は、梁挟み片を梁の水平板の上面側に折り曲げやすくするための折曲補助部を上基板との境界近傍部分に備え、ランナー挟み片は、ランナー挟み片の先端側を天井側ランナーの側板の内表面側に折り曲げやすくするための折曲補助部を下基板の下面から下方に天井側ランナーの側板の高さ寸法に相当する長さだけ離れた所定位置に備えたことも特徴とする。
【発明の効果】
【０００５】
本発明に係るランナー取付具によれば、上基板と下基板と連結板とを備え、一対の梁挟み片が上基板より一方方向に延長するよう設けられ、一対のランナー挟み片が下基板より反対方向に延長するよう設けられたので、ランナー取付によって天井側ランナーが梁の水平板に取付けられた場合に、梁の水平板の下面と天井側ランナーの長尺板の上面との間に隙間が形成されるので、梁の水平板の下面に耐火被覆材を吹付けることが可能となり、耐火仕様の界壁下地を容易に構築できる。
本発明に係るランナー取付具によれば、下基板と、一対の連結片と、一対の上基板とを備え、一対の梁挟み片が各上基板より一方方向に延長するよう設けられ、一対のランナー挟み片が下基板より反対方向に延長するよう設けられので、ランナー挟み片に加わる荷重をランナー挟み片の両側の上方に設けられた梁挟み片を介して梁の下側の水平板で支持できる構造となり、安定した界壁下地を構築できる。また、ランナー取付によって天井側ランナーが梁の水平板に取付けられた場合に、梁の水平板の下面と天井側ランナーの長尺板の上面との間に隙間が形成されるので、梁の水平板の下面に耐火被覆材を吹付けることが可能となり、耐火仕様の界壁下地を容易に構築できる。
梁挟み片及びランナー挟み片がそれぞれ折曲補助部を備えたので、作業性の良いランナー取付具が得られる。
【発明を実施するための最良の形態】
【０００６】
最良の形態１
図１乃至図４は最良の形態１を示し、図１はランナー取付具１を示し、図２はランナー取付具１によって天井側ランナー４が梁５に取付けられた状態を示し、図３はランナー取付具１を用いたランナー取付け方法を示し、図４は界壁の下地構造を示す。
【０００７】
図４を参照し、界壁の下地構造を説明する。マンションやビルのような連続住宅の各住戸間を区切る界壁の下地構造は、床側ランナー２、界壁間柱３、天井側ランナー４、梁５、ランナー取付具１を備える。
床側ランナー２は、長尺板２５ａと長尺板２５ａの幅方向の両側縁２８ａ；２８ａより一方向に延長する側板２６ａ；２６ａとを備えた断面凹形状に形成された金属製の長尺物である。床側ランナー２は、互いに平行に対向する一対の側板２６ａと側板２６ａとの間で形成された凹部開口２７ａが上を向くように配置されて、長尺板２５ａが基礎天端や鋼製根太のような界壁基礎３０に図外のアンカーボルト、鋲などの固定具によって固定される。
梁５は、垂直基板２０と垂直基板２０の上端に設けられた上側の水平板２１と垂直基板２０の下端に設けられた下側の水平板２２とを備えた例えば断面Ｉ形状の長尺鋼（いわゆるＩ形鋼）や断面Ｈ形状の長尺鋼（いわゆるＨ形鋼）により形成され、その長手方向の両端が、当該長手方向と直交する図外の壁下地に設けられた図外の梁と連結される。
天井側ランナー４は、床側ランナー２と同じ構成である。すなわち、長尺板２５と長尺板２５の幅方向の両側縁２８より一方向に延長する側板２６とを備えた断面凹形状に形成された金属製の長尺物である。この天井側ランナー４は、互いに平行に対向する一対の側板２６と側板２６の間で形成された凹部開口２７が下を向くように配置されて、ランナー取付具１によって梁５の下側の水平板２２に取付けられる。
凹部開口２７ａが上を向くように固定具によって界壁基礎３０に取付けられた床側ランナー２の凹部内に界壁間柱３の下端部２９が嵌め込まれ、凹部開口２７が下を向くようにランナー取付具１によって梁５の下側の水平板２２に取付けられた天井側ランナー４の凹部内に界壁間柱３の上端部３１が嵌め込まれることによって、界壁間柱３が垂直に設置される。複数本の界壁間柱３が例えば３００ｍｍ程度の間隔を隔てて配置されることで界壁下地１ａが構築される。
【０００８】
図１を参照し、ランナー取付具１の構成を説明する。ランナー取付具１は、基板６と、基板６より一方方向に延長するよう設けられた一対の梁挟み片７と、基板６より一方方向とは反対方向に延長するように設けられた一対のランナー挟み片８とを備える。ランナー取付具１は、一対の梁挟み片７と基板６とが梁５の水平板２２の幅方向両端縁３３；３５側を挟むとともに、一対のランナー挟み片８が天井側ランナー４の両方の側板２６；２６の下端４８の位置で折曲されて側板２６の外表面４７と内表面４９とを挟み込むことにより、天井側ランナー４を梁５の水平板２２に取付ける金具である。
【０００９】
基板６は、矩形の下基板９と、下基板９の両側の上方に設けられた一対の上基板１０；１０と、下基板９と上基板１０とを連結する連結板１２；１２とを備える。矩形の下基板９及び矩形の上基板１０は、梁５の水平板２２の長手方向において互いに平行に対向する一対の一方側縁と、梁５の水平板２２の幅方向において互いに平行に対向する一対の他方側縁とを備える。一対の連結板１２；１２は、下基板９の一対の一方側縁１３ａ；１３ａから一方方向に延長するように設けられる。一対の上基板１０；１０は、一対の連結板１２；１２の上端縁１６からそれぞれ互いに離反する方向に延長して下基板９と平行に対向するように設けられる。即ち、基板６は、１つの下基板９、梁５の水平板２２の長手方向において所定間隔を隔てて設けられた２つの連結板１２及び２つの上基板１０を備える。
【００１０】
一対の梁挟み片７；７は、上基板１０の一対の他方側縁１７；１７より一方方向に延長するように設けられる。一対の梁挟み片７は、一対の上基板１０のそれぞれに設けられる。図２に示すように、上基板１０の上面１８が梁５の水平板２２の下面３２と接触して対向するように設置された状態において、一対の梁挟み片７のうちの一方の梁挟み片７ａが、梁５の水平板２２の幅方向の一端縁３３を経由して梁５の水平板２２の上面３４に位置されたことによって梁５の水平板２２の上面３４に位置された一方の梁挟み片７ａと梁５の水平板２２の下面３２に接触した基板６とで水平板２２の一端縁３３側を挟むとともに、他方の梁挟み片７ｂが、梁５の水平板２２の幅方向の他端縁３５を経由して梁５の水平板２２の上面３４に位置されたことによって梁５の水平板２２の上面３４に位置された他方の梁挟み片７と梁５の水平板２２の下面３２に接触した基板６とで水平板２２の他端縁３５側を挟む。このように、梁５の水平板２２の上面３４に位置された一対の梁挟み片７ａ（７）；７ｂ（７）と梁５の水平板２２の下面３２に接触した基板６とで水平板２２を挟み込むことによって、ランナー取付具１が梁５の水平板２２に取付けられることになる。
【００１１】
梁挟み片７は、梁挟み片７を梁５の水平板２２の上面３４側に折り曲げやすくするための折曲補助部４０を上基板１０との境界近傍部分に備える。例えば、梁挟み片７は、上基板１０の上面１８から上方に梁５の水平板２２の板厚に相当する長さだけ離れた部分が横幅の狭い折曲補助部４０として形成され、折曲補助部４０の上方には折曲補助部４０の横幅より幅広の梁挟み片本体７ｔを備えた構成としたことにより、梁挟み片本体７ｔが折曲補助部４０で折れ曲がりやすくなり、作業性の良いランナー取付具１となる。
【００１２】
一対のランナー挟み片８；８は、下基板９の一対の他方側縁１４より一方方向とは反対方向に延長するように設けられる。図２に示すように、天井側ランナー４が凹部開口２７を下に向けた状態で長尺板２５の上面４５が下基板９の下面４６と接触するよう設置された状態において、一対のランナー挟み片８のうちの一方のランナー挟み片８ａが、天井側ランナー４の一方の側板２６の外表面４７に沿って下方に延長して一方の側板２６の下端４８を経由して一方の側板２６の内表面４９に位置されることによって一方の側板２６を挟むとともに、他方のランナー挟み片８ｂが、天井側ランナー４の他方の側板２６の外表面４７に沿って下方に延長して他方の側板２６の下端４８を経由して他方の側板２６の内表面４９に位置されることによって他方の側板２６を挟む。このように、一対のランナー挟み片８ａ（８）；８ｂ（８）によって天井側ランナー４の一対の側板２６の外表面４７、下端４８、内表面４９を覆うように側板２６を挟み込むことによって、天井側ランナー４がランナー取付具１に取付けられる。
【００１３】
ランナー挟み片８は、ランナー挟み片８の先端５２を天井側ランナー４の側板２６の内表面４９側に折り曲げやすくするための折曲補助部５０を下基板９の下面４６から下方に天井側ランナー４の側板２６の高さ寸法に相当する長さだけ離れた所定位置に備える。折曲補助部４０は、例えば、ランナー挟み片８の所定位置において水平方向に並ぶようにランナー挟み片８に形成された複数の貫通孔５１により形成されたことによって、ランナー挟み片８の折曲補助部５０より先端５２側が折曲補助部５０で折れ曲がりやすくなり、作業性の良いランナー取付具１となる。
【００１４】
図３を参照し、ランナー取付具１を用いた天井側ランナー４の梁５への取付け方法を説明する。各上基板１０に設けられた一対の梁挟み片７が梁５の水平板２２の幅方向の両側縁３３；３５を挟み込むように、上基板１０の上面１８を梁５の水平板２２の下面３２に押し付ける。この状態で、梁挟み片７を折曲補助部４０で折り曲げて梁挟み片本体７ｔ；７ｔを水平板２２の上面３４の方向に回転させる。これにより、梁５の水平板２２が上基板１０と梁挟み片７とで挟まれることによってランナー取付具１が梁５の水平板２２に取付けられる。次に、下基板９に設けられた一対のランナー挟み片８；８間に、凹部開口２７を下に向けて天井側ランナー４を挿入し、下基板９の下面４６に天井側ランナー４の長尺板２５の上面４５を押し付ける。この状態で、ランナー挟み片８を折曲補助部５０で折り曲げて、ランナー挟み片８の先端５２側を天井側ランナー４の側板２６の内表面４９の方向に回転させる。これにより、天井側ランナー４の側板２６がランナー挟み片８で挟まれることによってランナー取付具１に天井側ランナー４が取付けられる。つまり、梁挟み片７と上基板１０とによって梁５の下側の水平板２２を挟むことでランナー取付具１が当該水平板２２に取付けられ、ランナー挟み片８によって天井側ランナー４の側板２６を挟むことで天井側ランナー４がランナー取付具１に取付けられ、このようにして、天井側ランナー４がランナー取付具１によって梁５の水平板２２に取付けられる。
【００１５】
尚、ランナー取付具１の基板６が、下基板９と、下基板９の両側の上方に設けられた一対の上基板１０と、下基板９と上基板１０とを連結する連結板１２とを備えたことによって、上述のようにランナー取付具１により互いに連結状態に取付けられた梁５の水平板２２の下面３２と天井側ランナー４の長尺板２５の上面４５との間に隙間Ｓ（図２；図４参照）が形成されるので、この隙間Ｓを利用して、梁５の下側の水平板２２の下面３２に耐火被覆材を吹付けることが可能となり、耐火仕様の界壁下地１ａを容易に構築できるようになる。
【００１６】
最良の形態１によるランナー取付具１によれば、梁挟み片７及びランナー挟み片８を折曲する作業だけで天井側ランナー４を梁５に容易に取付けることができるランナー取付具１が得られる。
最良の形態１によるランナー取付具１によれば、ランナー挟み片８の両側の上方に梁挟み片７；７を備えたので、ランナー挟み片８に加わる荷重をランナー挟み片８の両側の梁挟み片７を介して梁５の下側の水平板２２で支持できる構造となり、安定した界壁下地１ａを構築できる。
最良の形態１によるランナー取付具１によれば、梁５の水平板２２の下面３２と天井側ランナー４の長尺板２５の上面４５との間に隙間Ｓが形成されるので、梁５の水平板２２の下面３２に耐火被覆材を吹付けることが可能となり、耐火仕様の界壁下地１ａを容易に構築できる。
最良の形態１によるランナー取付具１によれば、梁挟み片７及びランナー挟み片８がそれぞれ折曲補助部４０；５０を備えたので、作業性の良いランナー取付具１が得られる。
【００１７】
最良の形態２
図５に示すように、基板６が矩形状の１つの基板６により形成されたランナー取付具１であってもよい。即ち、矩形の基板６が、梁５の水平板２２の長手方向において互いに対向する一対の一方側縁１３と、梁５の水平板２２の幅方向において互いに対向する一対の他方側縁１４とを備え、最良の形態１と同形状の梁挟み片７が、基板６の一対の他方側縁１４の長手方向における両方の端部８０；８０より一方方向に延長するように設けられ、最良の形態１と同形状のランナー挟み片８が、基板６の一対の他方側縁１４の長手方向における中央部８１より一方方向とは反対方向に延長するように設けられた構成のランナー取付具１であってもよい。
最良の形態２によるランナー取付具１によれば、梁挟み片７及びランナー挟み片８を折曲する作業だけで天井側ランナー４を梁５に容易に取付けることができるランナー取付具１が得られる。
最良の形態２によるランナー取付具１によれば、ランナー挟み片８の両側に梁挟み片７を備えたので、ランナー挟み片８に加わる荷重をランナー挟み片８の両側の梁挟み片７を介して梁５の下側の水平片で支持できる構造となり、安定した界壁下地１ａを構築できる。
【００１８】
最良の形態３
最良の形態１；２では、一対の梁挟み片７を２組備えた構成のランナー取付具１を示したが、一対の梁挟み片７を１組だけ備えた構成のランナー取付具１としてもよい。
最良の形態３によるランナー取付具１によれば、梁挟み片７及びランナー挟み片８を折曲する作業だけで天井側ランナー４を梁５に容易に取付けることができるランナー取付具１が得られる。
【産業上の利用可能性】
【００１９】
梁挟み片７やランナー挟み片８の形状、折曲補助部４０；５０の構成は、梁挟み片７、ランナー挟み片８、折曲補助部４０；５０の機能を達成できるものであれば、上述した形状や構成以外でもよい。
【図面の簡単な説明】
【００２０】
【図１】ランナー取付具の斜視図（最良の形態１）。
【図２】ランナー取付具によって天井側ランナーが梁に取付けられた状態を示す断面図（最良の形態１）。
【図３】ランナー取付具を用いたランナー取付け方法を示す図（最良の形態１）。
【図４】界壁の下地構造を示す図（最良の形態１）。
【図５】ランナー取付具の斜視図（最良の形態２）。
【符号の説明】
【００２１】
１  ランナー取付具、４  天井側ランナー、５  梁、６  基板、７  梁挟み片、
８  ランナー挟み片、９  下基板、１０  上基板、１２  連結板、１２ａ  連結片、
１８  基板の上面、２２  水平板、２５  長尺板、２６  側板、２７  凹部開口、
２８  長尺板の幅方向の両側縁、３２  水平板の下面、
３３  水平板の幅方向の一端縁、３４  水平板の上面、
３５  水平板の幅方向の他端縁、４０，５０  折曲補助部、４１  境界近傍部分、
４５  長尺板の上面、４６  基板の下面、４７  側板の外表面、４８  側板の下端、
４９  側板の内表面、５２  ランナー挟み片の先端。
【図１】
0005242194.tif 000002
【図２】
0005242194.tif 000003
【図３】
0005242194.tif 000004
【図４】
0005242194.tif 000005
【図５】
0005242194.tif 000006